(57)【要約】      （修正有）【課題】表示又は記録用の画像信号を取得と焦点検出を行う２つの撮像素子について、記録画像のファイルサイズ抑制および読み出し速度の向上を図る。【解決手段】撮影レンズを通過した光束を光束分割手段で複数に分割し、複数の光束の一方を第１の撮像素子で受光し、他方の光束を第２の撮像素子で受光する。第１、第２の撮像素子はそれぞれ複数の画素部を有し、１つの画素部につき１対の光電変換部を有する。第２の撮像素子にて取得した信号を用いて焦点検出をして合焦情報を取得した結果に応じ、第１の撮像素子の画素信号の読み出しモードとその範囲を判定する。読み出しモードは、複数の光電変換部の信号を独立に読み出した第１の出力信号と、複数の光電変換部の信号を加算して読み出した第２の出力信号とのうち、第１、第２の出力信号の両方を読み出す第１の読み出しモードと、第２の出力信号のみを読み出す第２の読み出しモードのいずれかである。【選択図】図１
2018101081.tif 000002
【特許請求の範囲】
【請求項１】
撮影レンズを通過した光束（３０５）を複数の光束に分割する光束分割手段（１０１）を有し、
前記分割された光束（３０５）の一方を受光する第１の撮像素子（１０２）と、他方の光束を受光する第２の撮像素子（１０３）を有し、
前記第１と第２の撮像素子（１０２）（１０３）はそれぞれ複数の画素部（３００）を有し、前記画素部（３００）は１つの画素部につき１対の光電変換部（３０１Ａ、３０１Ｂ）を有する撮像装置において、
前記第２の撮像素子（１０３）にて取得した信号を用いて焦点検出を行い、合焦情報を取得し、
前記合焦情報の結果に応じて、第１の撮像素子（１０２）の画素信号の読み出しモードとその範囲を判定する判定手段を備え、
前記読み出しモードは、前記複数の光電変換部（３０１Ａ、３０１Ｂ）の信号を独立に読み出した第１の信号出力と、前記複数の光電変換部の信号を加算して読み出した第２の出力信号のうち、前記第１の信号出力と前記第２の信号出力の両方を読み出す第１の読み出しモードと、第２の信号出力のみを読み出す第２の読み出しモードのいずれかであることを特徴とする撮像装置。
【請求項２】
前記合焦情報の結果とは、前記焦点検出結果を処理して、主被写体を認識することであり、第２の撮像素子領域内に前記主被写体を検出した場合は、前記主被写体の近傍領域を前記第１の読み出しモードで読み出し、他の領域を前記第２の読み出しモードで読み出すことを特徴とする、請求項１に記載の撮像装置。
【請求項３】
前記第２の撮像素子領域内に前記主被写体が検出されない場合は、前記第２の読み出しモードで読み出すことを特徴とする、請求項１または２に記載の撮像装置。
【請求項４】
前記第２の撮像素子（１０３）は、前記第１の撮像素子（１０２）と同一の受光面積を備え、前記第１の撮像素子よりも画素数が少ないことを特徴とする請求項１乃至３のいずれか１項に記載の撮像装置。
【請求項５】
前記第２の撮像素子領域内に前記主被写体が検出されない場合は、前記第１の撮像素子（１０２）の前記第２の撮像素子（１０３）と重複する領域は、前記第２の読み出しモードで読み出し、その他の領域は、前記第１の読み出しモードで読み出すことを特徴とする請求項１または２に記載の撮像装置。
【請求項６】
前記第２の撮像素子（６０７）は、前記第１の撮像素子（１０２）よりも受光面積が小さいこと特徴とする請求項１乃至５のいずれか１項に記載の撮像装置。
【発明の詳細な説明】
【技術分野】
【０００１】
本発明は、撮像装置に関し、特に瞳分割方式の焦点検出が可能な撮像装置に関するものである。
【背景技術】
【０００２】
近年、デジタルスチルカメラやデジタルビデオカメラなどの撮像装置に用いられる固体撮像素子の多機能化が進んでいる。特許文献１の撮像装置では、撮像素子に関して、瞳分割方式の焦点検出が可能な技術が開示されている。この技術は、撮像素子の１つの画素は、２つのフォトダイオードを有し、各フォトダイオードは１つのマイクロレンズによって撮影レンズの異なる瞳を通過した光を受光するよう構成されている。したがって、２つのフォトダイオードからの出力信号を比較することで、位相差の検知が可能となる。
【０００３】
また、２つのフォトダイオードからの出力信号を加算することで、通常の撮影画像の信号を得ることができる。１つの画素に２つのフォトダイオードを設けた撮像素子を用いて焦点検出を行うには、２つのフォトダイオードそれぞれらの信号を取得する必要がある。そのため、画素領域のすべての範囲で焦点検出信号を得ようとした場合、１つの画素が１つのフォトダイオードのみを有する従来の撮像素子と比べて、読み出す信号量が２倍に増え、読み出し時間が大幅に増加してしまう。
【先行技術文献】
【特許文献】
【０００４】
【特許文献１】特開２０１４−８９２６０号公報
【発明の概要】
【発明が解決しようとする課題】
【０００５】
特許文献１では、撮影条件により、画素信号と加算信号の読み出し範囲と、その範囲内での間引き率を変更している。しかしながら、ライン単位で間引くため、読み出し時間の短縮は限定的である。
【０００６】
そこで、本発明の目的は、記録画像のファイルサイズの抑制および読み出し速度を向上することを可能にした撮像装置を提供することである。
【課題を解決するための手段】
【０００７】
上記目的を達成するために、本発明は、撮影レンズを通過した光束を複数の光束に分割する光束分割手段を有し、分割された光束の一方を受光する第１の撮像素子と、他方の光束を受光する第２の撮像素子を有し、第１と第２の撮像素子はそれぞれ複数の画素部を有し、画素部は１つの画素部につき１対の光電変換部を有する撮像装置において、第２の撮像素子にて取得した信号を用いて焦点検出を行い、合焦情報を取得し、合焦情報の結果に応じて、第１の撮像素子の画素信号の読み出しモードとその範囲を判定する判定手段を備え、読み出しモードは、前記複数の光電変換部の信号を独立に読み出した第１の信号出力と、複数の光電変換部の信号を加算して読み出した第２の出力信号のうち、第１の信号出力と前記第２の信号出力の両方を読み出す第１の読み出しモードと、第２の信号出力のみを読み出す第２の読み出しモードのいずれかであることを特徴とする。
【発明の効果】
【０００８】
本発明によれば、記録画像のファイルサイズの抑制および読み出し速度を向上することを可能にした撮像装置を提供することができる。
【図面の簡単な説明】
【０００９】
【図１】本発明の第１の実施例に係る撮像装置の撮影動作のフローチャートを示す図
【図２】本発明の第１の実施例に係るレンズ交換式カメラの模式図
【図３】撮影レンズの射出瞳から出た光束が単位画素に入射する時の光線を概念的に示す図
【図４】本発明の第１の実施例に係る撮像画像に応じた読み出しモードを説明する図
【図５】本発明の第２の実施例に係るレンズ交換式カメラの模式図
【図６】本発明の第２の実施例に係る撮像装置の撮影動作のフローチャートを示す図
【図７】本発明の第２の実施例に係る撮像素子１０２及び６０７の分割領域を重ねて表示した図
【発明を実施するための形態】
【００１０】
以下に、本発明の好ましい実施の形態を、添付の図面に基づいて詳細に説明する。
［実施例１］
図２は、本発明の第１の実施例に係るレンズ交換式カメラ本体１００の模式図である。交換レンズ２００はレンズ群を有しており、ここでは撮影レンズ２０１と定義する。また、撮影レンズの中でもフォーカス機能を持つレンズをフォーカスレンズ２１０（不図示）と定義する。
【００１１】
交換レンズ２００の撮影レンズ２０１を透過した光束は、カメラ本体１００に備え付けられた不図示のミラーユニット内のメインミラー１０１に入射する。光束分割手段であるメインミラー１０１は本実施形態ではハーフミラーであるが、光束を分割できるものであればハーフミラーでなくても良い。また、ハーフミラーとしては、例えばペリクルミラーが用いられるが、これに限らず、ガラス板等を用いて構成したハーフミラーを用いてもよい。
【００１２】
ペリクルミラーは、例えば、ポリエチレンテレフタラート（ＰＥＴ）などの薄い半透過フィルムに所望の透過率及び反射率が得られるようにコーティングが施されて構成される。ハーフミラーの透過率及び反射率は、それぞれ５０％及び５０％に限らず、他の値としてもよい。
【００１３】
メインミラー１０１によって分割された光束の一方はメインミラー１０１を透過し、第１の撮像素子１０２へと導かれる。メインミラー１０１によって分割された光束の他方はメインミラー１０１において反射し、第２の撮像素子１０３へと導かれる。
【００１４】
ＣＭＯＳエリアセンサからなる第１の撮像素子１０２および第２の撮像素子１０３は、被写体像を電気信号に変換するマトリクス状に配置された画素部を有する。第１の撮像素子１０２および第２の撮像素子１０３のそれぞれが有する複数の画素部１０２a、１０３aは、焦点検出信号と記録又は表示用の画像信号の両方を取得することができる。画素部の構造については後述する。電気信号に変換された画像信号は、カメラＣＰＵ１０７で画像処理や補正処理、記録画像への変換処理が行われる。
【００１５】
表示用画像やカメラ本体１００の各種設定状態は、ＬＣＤ（液晶表示器）で構成された外部モニタである外部表示部１０９や、後述するファインダ内部表示部１０６に表示される。ファインダユニット１０４は、接眼レンズユニット１０５とファインダ内部表示部１０６が組み合わされて構成される。
【００１６】
ファインダ内部表示部１０６は、第１の撮像素子１０２で変換された表示用画像を画面表示することで、ファインダ表示（ＥＶＦ）がなされる。撮影時には、カメラＣＰＵ１０７内部の画像補正処理ユニットからなる補正処理部１０７ａ（不図示）で処理された撮像情報が、内蔵メモリや外部メモリーカードからなる記録装置１０８へ記録される。
【００１７】
本実施形態では、第１の撮像素子１０２で被写体像を撮像し、これを記録するため、画素数はより多く、高密度、高精度な撮像素子が要求される。一方、第２の撮像素子１０３は、主に合焦位置の焦点検出のために用いるため、第１の撮像素子１０２ほどの画素数は必要ではない。そこで、撮像素子全体のサイズは、第１の撮像素子１０２と第２の撮像素子１０３は略同一であるが、第１の撮像素子１０２と比較して、各画素あたりの受光面積を大きく構成した。そのため、第２の撮像素子１０３は、画素の密度が下がり、単位面積あたりの画素数は第１の撮像素子１０２と比較して少なくなる。
【００１８】
そして、第２の撮像素子１０３によって撮像される像信号のデータ量は削減され、合焦評価値の算出のための処理時間がより削減される。これにより、合焦評価値の極大の検出時間が短縮される。また、一方の撮像素子のみで焦点検出を行うことで、被写体の輝度やデフォーカスの程度によっては一方の撮像素子の焦点検出において駆動する必要がなくなることから、消費電力を抑えることができる。
【００１９】
カメラＣＰＵ１０７はデフォーカス量をもとに、撮影レンズ２０１を合焦状態となるような位置まで移動するためのレンズ駆動量を算出する。当該レンズ駆動量は、レンズ通信部２０４を通じてレンズＣＰＵ２０３に伝達される。ただし、焦点検出演算部１０７ｂによって求められたデフォーカス量をもとにしたレンズ駆動量の算出は、レンズＣＰＵ２０３において行っても良い。
【００２０】
この場合、レンズＣＰＵ２０３はカメラＣＰＵ１０７からデフォーカス量を受け取る。レンズＣＰＵ２０３はアクチュエータ２０２を制御して、フォーカスレンズ２１０を駆動させて焦点調節を行う。
【００２１】
［画素部の構造］
図３を用いて、第１と第２の撮像素子１０２および１０３の有する複数の画素部の構造について説明する。図３は、撮影レンズの射出瞳から出た光束が単位画素に入射する時の光線を概念的に示す図である。同図において、３００は単位画素であり、第１のフォトダイオード３０１Ａおよび第２のフォトダイオード３０１Ｂを有する。３０２はカラーフィルタ、３０３はマイクロレンズ、３０４は撮影レンズの射出瞳をそれぞれ示す。
【００２２】
マイクロレンズ３０３を有する単位画素に対して、射出瞳から出た光束の中心を光軸３０５とすると、射出瞳を通過した光は、光軸３０５を中心として単位画素３００に入射する。図３に示すように、３０６、３０７を撮影レンズの射出瞳の一部領域とすると、瞳領域３０６を通過する光束はマイクロレンズ３０３を通して、フォトダイオード３０１Ａで受光される。
【００２３】
同様に、瞳領域３０７を通過する光束はマイクロレンズ３０３を通して、フォトダイオード３０１Ｂで受光される。従って、フォトダイオード３０１Ａと３０１Ｂはそれぞれ、撮影レンズの出射瞳の別々の領域の光を受光することになり、フォトダイオード３０１Ａと３０１Ｂの信号を比較することで位相差の検知が可能となる。ここで、フォトダイオード３０１Ａから得られる信号をＡ像（第１の画像）、フォトダイオード３０１Ｂから得られる信号をＢ像（第２の画像）と定義し、Ａ像とＢ像を足し合わせた加算信号をＡ＋Ｂ像とすれば、このＡ＋Ｂ像は撮影画像に用いることができる。  
【００２４】
次に、距離演算処理によって、取得したＡ像とＢ像から、公知の手段によって被写体の距離分布を算出する。例えば、一対のＡＢ像の一部を切り出し、切り出したウィンドウ内の相関演算によって像ズレ量を求め、瞳領域３０６透過率分布の重心と瞳領域３０７の透過率分布の重心の間隔から、基線長を求める。求めた像ズレ量と基線長からデフォーカス量を求め、距離を算出することができる。ウィンドウをずらしながら相関演算を行えば、被写体の距離分布を取得することができる。
【００２５】
続いて、リフォーカス面と、付加するボケ量を設定する。この際、取得した画像や、求めた距離分布を表示部に表示し、撮影者（ユーザ）がリフォーカス面やボケ量を手動で設定しても良い。また、取得した画像や取得した距離分布から、撮像装置１００が自動でリフォーカス面やボケ量を設定しても良い。例えば、取得した画像に対して、公知の顔認識技術を使って主要被写体を判断し、主要被写体に合わせたリフォーカス面を設定することができる。
【００２６】
［撮影モードの動作について］
図１は、本実施形態に係る撮像装置の撮影動作のフローチャートを示す図である。本動作は、カメラ１００の不図示の操作部材をユーザが操作して電源スイッチが投入され、撮影モードセレクターによる撮影モードが設定されると開始する。本実施形態においては、人物撮影モードについて記載するが、他の撮影モードでも実施可能である。
【００２７】
ステップＳ４０１において、操作部材のモードセレクターにより人物撮影モードが選択されているか否かを判断する。人物撮影モードでは、カメラが主被写体を認識する手法として、ユーザのマニュアル設定動作に従う方法と、カメラが自動的に認識する方法がある。ここでは、カメラが主要被写体を自動認識する方法を採用するものとして説明を続ける。
【００２８】
ステップＳ４０１で人物撮影モードが設定されている場合はステップＳ４０２へ進み、第２の撮像素子１０３を用いて撮影レンズ２００の焦点状態を検出する。ステップＳ４０２の焦点検出結果より、ステップＳ４０３で撮影レンズ２００のデフォーカス量を算出し、デフォーカス量に基づいて撮影レンズ２００の駆動量を決定する。そして、ステップＳ４０４で当該レンズ駆動量に基づき、調節手段としてのアクチュエータ２０２がフォーカスレンズ２１０を駆動させる。そしてステップＳ４０５で公知の顔認識技術を使って人物の顔とその位置を検出する。
【００２９】
次に、ステップＳ４０６へ進み、顔検知がされた場合はステップＳ４０７、顔検知されない場合はステップＳ４１７で、後述する第１の撮像素子１０２の信号の読み出しモードをそれぞれ設定する。そしてステップＳ４０８で、各画素における読み出しモードに応じて、第１の撮像素子１０２を用いて撮像を行う。
【００３０】
ここで、図４を用いて、信号の読み出しモードを説明する。図４（ａ）は本実施形例の撮像装置の第１と第２の撮像素子１０２と１０３の受光領域をそれぞれ８×８の６４の領域に分割した図である。分割した各領域を分割領域５０１と呼ぶこととし、画面左上に相当する分割領域をｄ００とし、それぞれ図４（ａ）に示すように、ｄ００〜ｄ７７とする。
【００３１】
ここで、第２の撮像素子１０３は、第１の撮像素子１０２と略同一の受光面積を備え、第１の撮像素子１０２よりも画素数が少ないものとする。また、分割領域の被写体の位置は、第１の撮像素子１０２と第２の撮像素子１０３で、それぞれ対応するものとする。
【００３２】
図４（ｂ）は、第２の撮像素子１０３上の本実施形態の撮像装置によって撮像された画像の一例である。図４（ｂ）においては、主要被写体である顔が２箇所検出されている。図４（ｃ）は第２の撮像素子１０３の焦点検出結果から、対応する第１の撮像素子１０２の読み出しモードの領域を示したものである。
【００３３】
本実施形態の撮像装置の特徴は、次の通りである。まず、主要被写体と判定された分割領域及びその周辺の分割領域は、のちのリフォーカス画像生成時において、その領域の被写体にピントを合わせたリフォーカス処理を行う可能性がある領域であると考えられる。そのため、図４（ｃ）の分割領域である領域５０３と領域５０４の分割画素の出力信号として、Ａ像（またはＢ像）とＡ＋Ｂ像を読み出す。ここで、Ａ像とＡ＋Ｂ像を読み出すモードを、第１の読み出しモードとする。
【００３４】
なお、被写体を含む分割領域に含まれる分割画素の信号のみを第１の読み出しモードで読み出すように説明したが、本発明はこれに限るものではなく、分割領域に隣接する分割領域５０４に含まれる分割画素の信号を第１の読み出しモードで読み出しても良い。
【００３５】
一方、それ以外の分割領域である、主要被写体が存在しないと判定された分割領域は、後にリフォーカスを行わない領域であると考えられる。そのため、読み出しモードは、分割領域の分割画素の信号を、Ａ＋Ｂ像の加算信号として読み出しとなる。また、ステップＳ４０６で主被写体が検知されなかった場合においても、後にリフォーカス処理を行わない領域と考えられるため、ステップＳ４１７は全領域をＡ＋Ｂ像の加算信号と読み出す。この結果、読み取る信号を抑制し、生成される画像ファイルのサイズを抑制することが可能である。
【００３６】
次に、ステップＳ４０１で人物撮影モードが設定されていない場合はステップＳ４１２へ進み、第２の撮像素子１０３を用いて撮影レンズ２００の焦点状態を検出する。ステップＳ４１２の焦点検出結果より、ステップＳ４１３で撮影レンズ２００のデフォーカス量を算出し、デフォーカス量に基づいて撮影レンズ２００の駆動量を決定する。そして、ステップＳ４１４で当該レンズ駆動量に基づき、調節手段としてのアクチュエータ２０２がフォーカスレンズ２１０を駆動させる。
【００３７】
その後、ステップＳ４１５で、第１の撮像素子１０２の出力信号を、Ａ＋Ｂ像または、第１の読み出しモードで読み出すことを決定し、ステップＳ４０８で第１の撮像素子１０２で撮像を行う。
【００３８】
以上、図２〜図４を用いて本発明の実施形態にかかる撮像装置の実施形態について説明してきたが、本発明はこれに限定されることはなく、様々な形態をとることが可能である。
【００３９】
［実施例２］
続いて第２の実施形態に係る撮像装置について説明する。第１の実施形態と同様の構成については説明を省略し、相違点を中心に取り上げる。
【００４０】
［撮像装置の説明］
図５は本実施形態のレンズ交換式カメラの概略図である。不図示の被写体からの光束は、撮影レンズ２００内のフォーカスレンズ２０１を介して、撮像装置６００内のメインミラー６０１に導かれる。メインミラー６０１は、撮影光路内に光軸に対して斜めに配置されて、被写体からの光束を上方に配置されたファインダ光学系に導く第１の位置（図示した位置）と、撮影光路外に退避する第２の位置とに移動が可能である。
【００４１】
メインミラー６０１の中央部はハーフミラーになっており、メインミラー６０１が第１の位置にダウンしているときには、被写体からの光束の一部が該ハーフミラー部を透過する。そして、この透過した光束は、メインミラー６０１の背面側に設けられたサブミラー６０２で反射し、焦点検出手段を持つ第２の撮像素子６０７に導かれる。一方、メインミラー６０１で反射された光束は、第１の撮像素子１０２と光学的に共役な位置に配置されたピント板６０３上に結像する。
【００４２】
本実施形態においては、焦点検出に用いる第２の撮像素子６０７の撮像素子全体のサイズは、撮像に用いる第１の撮像素子１０２よりも小さいものとする。ただし、それぞれの撮像素子の画素位置比較を容易にするため、画素ピッチは略同一とする。より具体的には、各画素のサイズは、略同一であるが、撮像素子のサイズを、第１の撮像素子１０２と比較して小さく構成した。そのため、画素の密度は略同一であるが、撮像素子全体の画素数は、第１の撮像素子１０２と比較して少なくなる。
【００４３】
このような構成とすることで、第２の撮像素子６０７によって撮像される像信号データ量が削減され、合焦評価の算出処理時間がより削減される。さらに、第２の撮像素子６０７のサイズを小さくしたので、第２の撮像素子６０７の製造コスト及び組立コストが低減される。
【００４４】
次に、ピント板６０３にて拡散されてこれを透過した光（被写体像）は、ペンタダハプリズム６０４によって正立像に変換される。正立像は、接眼レンズ６０５によって拡大され、ユーザにより観察される。また、メインミラー６０１が第２の位置にアップした際には、サブミラー６０２もメインミラー６０１に対して折り畳まれて撮影光路外に退避し、撮影レンズ２０１からの光束は、第１の撮像素子１０２に至る。
【００４５】
［人物撮影モードの動作について］
図６は、本実施形態に係る撮像装置の撮影動作のフローチャートを示す図である。同図において、第１の実施例と同一の部分については同一の符号を付けて示し、その説明は省略する。
【００４６】
本動作は、カメラ１００の図示しない操作部材をユーザが操作して電源スイッチが投入され、撮影モードセレクターによる撮影モードが設定されると開始する。この時、メインミラー６０１は第１の位置にダウンしている。
【００４７】
ステップＳ４０１からステップＳ４０６は、第１の実施例と同様であり、ステップＳ４０１で人物撮影モードが選択されているか判定を行い、設定されている場合は、ステップＳ４０２へ進み、第２の撮像素子６０７を用いて焦点検出を行う。この結果より、ステップＳ４０３で撮影レンズ２００のデフォーカス量を算出し、ステップＳ４０４で、フォーカスレンズ２１０を駆動させる。
【００４８】
次に、ステップＳ４０５で顔検知を実施し、ステップＳ４０６にて、第２の撮像素子６０７領域において、主要被写体である顔が検知された場合は、ステップＳ１００２、検知されなかった場合はステップＳ１００３で後述の第１の撮像素子１０２の読み出しモードを選択する。そして、ステップＳ１００４でメインミラー６０１を撮影光路外に退避させる第２の位置へ移動させ、ステップＳ４０８で第１の撮像素子１０２を、選択された読み出しモードに応じて出力信号を読み込み、撮像を行う。
【００４９】
ここで図７を用いて、信号の読み出しモードを説明する。図７は本実施形態の撮像装置の第１の撮像素子１０２と第２の撮像素子６０７の分割領域を重ねて表示したものである。第１の撮像素子１０２は、受光領域を８×８の６４の領域に分割し、分割した領域を分割領域８０１と呼ぶ。画面左上に相当する分割領域をｄ００とし、それぞれ図７に示すように、ｄ００〜ｄ７７とする。また、第２の撮像素子６０７は第１の撮像素子１０２よりも小さいものとし、受光領域を６×６の３６分割した領域８０２と呼ぶこととする。分割領域はｄ１１〜ｄ６６とし、第１の撮像素子の分割領域と略同一位置とする。
【００５０】
なお、ここで構造を分かりやすくするために、それぞれの分割を定義したが、これに限定されない。一例として図４（ｂ）が撮像された場合、図４（c）に示す領域５０３と領域５０４を第１の読み出しモードで読み込む。そして、その他の領域は、Ａ＋Ｂ像として読み込む。ここで、第２の撮像素子６０７と重複する位置である領域ｄ１１〜ｄ６６全体を第１の読み出しモードで読み込み、その他の領域をＡ＋Ｂ像で読み込んでも良い。
【００５１】
一方で、ステップＳ４０６にて、顔が検知されなかった場合、第１の撮像素子１０２は、第２の撮像素子６０７と重複する領域ｄ１１〜ｄ６６には、主要被写体が存在しないと判定されるため、ステップＳ１００３の読み出しモードは、Ａ＋Ｂ像で読み出すことになる。そして、それ以外の領域は、第１の読み出しモードとして読み込む。この結果、読み取る信号を抑制し、生成される画像ファイルのサイズを抑制することを可能としている。
【００５２】
次に、ステップＳ４０１で人物撮影モードが設定されていない場合はステップＳ４１２へ進み、第２の撮像素子１０３を用いて撮影レンズ２００の焦点状態を検出する。ステップＳ４１２の焦点検出結果より、ステップＳ４１３で撮影レンズ２００のデフォーカス量を算出し、デフォーカス量に基づいて撮影レンズ２００の駆動量を決定する。そして、ステップＳ４１４でフォーカスレンズ２１０を駆動させる。その後、ステップＳ４１５で、第１の撮像素子１０２の出力信号は、Ａ＋Ｂ像または、第１の読み出しモードで読み出すことを決定し、ステップＳ４０８で第１の撮像素子１０２で撮像を行う。
【００５３】
以上、本発明の好ましい実施形態について説明したが、本発明はこれらの実施形態に限定されず、その要旨の範囲内で種々の変形及び変更が可能である。
【符号の説明】
【００５４】
１００  カメラ本体
１０１  メインミラー
１０２  第１の撮像素子
１０３  第２の撮像素子
１０７  カメラＣＰＵ
２０１  撮影レンズ
３００  撮像素子の画素部
３０１  撮像素子の画素部の光電変換部
３０３  マイクロレンズ
【図１】
2018101081.tif 000003
【図２】
2018101081.tif 000004
【図３】
2018101081.tif 000005
【図４】
2018101081.tif 000006
【図５】
2018101081.tif 000007
【図６】
2018101081.tif 000008
【図７】
2018101081.tif 000009